(57)【要約】【課題】外開き避難扉の場合であっても、火災発生室内と室外との圧力均衡を図り、避難扉を開きやすくして避難の安全性を確保でき、特に防音室のような気密性の高い空間に実施する場合、気密性を確保しつつ効果的な排煙設備および排煙方法を得る。【解決手段】映画館の観客席などの火災発生室１と通気手段である通気ダクト６を連通する圧力調整用の空間５としての小部屋である映写室などを設け、火災発生室１と避難空間３とに同時に開放する排煙口２ａ，２ｂを備え同時起動する機械排煙設備２を配設する。【選択図】        図１
2010002108.tif 000002
【特許請求の範囲】
【請求項１】
火災発生室と通気手段で連通する圧力調整用の空間を設け、火災発生室と避難空間とに同時に起動する機械排煙設備を配設することを特徴とする排煙設備。
【請求項２】
圧力調整用の空間は、火災発生室に近接する部屋である請求項１記載の排煙設備。
【請求項３】
火災発生室と通気手段で連通する圧力調整用の空間を設け、火災発生室と避難空間とに同時に起動する機械排煙設備を配設して、火災発生時には火災発生室を圧力調整用の空間に連通させて火災発生室内の負圧を前記空間に分散させて減圧するとともに、火災発生室に接している避難空間内も火災発生室内と同時に減圧して圧力の均衡化を図ることを特徴とする排煙方法。
【発明の詳細な説明】
【技術分野】
【０００１】
本発明は、建物、特に映画館などにおける防災システムとしての排煙設備および排煙方法に関するものである。
【背景技術】
【０００２】
例えば店舗ビルなどの商業施設では、特許文献１に示すように各階に防火防煙区画を設定し、その上部に蓄煙空間を確保し、この蓄煙空間から排煙ファンによって強制機械排煙を行うようにしている。
【０００３】
これは図２にも示すように火災発生室１内の空気を機械排煙設備２単独で強制的に火災発生室１の外部に引き出すもので、排煙機を作動して室内から排煙するようにしており、火災発生室１内は他の空間である例えば避難廊下などの避難空間３よりも負圧状態となる。
【特許文献１】特開２００７−２４４６９号公報
【発明の開示】
【発明が解決しようとする課題】
【０００４】
このような強制機械排煙システムを例えば映画館の観客席などのような防音室などに実施した場合、前記防音室などは遮音性が要求される空間であるために気密性が高く、機械排煙設備２の作動により火災発生室１内は極度の負圧状態となる。
【０００５】
火災発生時には、避難扉４から避難することになるが、避難扉４は法制上、外開きとなっているため、火災発生室１内が前記のように負圧となると扉に対してこれを引く方向に力が加わり、室外との圧力差により避難扉４をあけにくくなり、安全に避難することが困難である。
【０００６】
なお、火災発生室１内に外気を直接導入して圧力差をなくすことも考えられるが、このようにすると新鮮空気が火災発生室１内に突然入ることにより火災が助長されることになり、危険であり、法制上も認められない。
【０００７】
本発明は前記従来例の不都合を解消するものとして、外開き避難扉の場合であっても、火災発生室内と室外との圧力均衡を図り、避難扉を開きやすくして避難の安全性を確保でき、特に防音室のような気密性の高い空間に実施する場合、気密性を確保しつつ効果的な排煙設備および排煙方法を提供するものである。
【課題を解決するための手段】
【０００８】
請求項１記載の本発明は、設備として、火災発生室と通気手段で連通する圧力調整用の空間を設け、火災発生室と避難空間とに同時に起動する機械排煙設備を配設することを要旨とするものである。
【０００９】
請求項２記載の本発明は、圧力調整用の空間は、火災発生室に近接する小部屋であることを要旨とするものである。
【００１０】
請求項３記載の本発明は、排煙方法として、火災発生室と通気手段で連通する圧力調整用の空間を設け、火災発生室と避難空間とに同時に起動する機械排煙設備を配設して、火災発生時には火災発生室を圧力調整用の空間に連通させて火災発生室内の負圧を前記空間に分散させて減圧するとともに、火災発生室に接している避難空間内も火災発生室内と同時に減圧して圧力の均衡化を図ることを要旨とするものである。
【００１１】
請求項１、請求項３記載の本発明によれば、火災発生時には通気手段により火災発生室を圧力調整用の空間に連通させて火災発生室内の負圧を前記空間に分散させて減圧するとともに、機械排煙設備を火災発生室と避難空間とに同時に作動させて排煙ダクト内の圧力を分散させることで、火災発生室に接している避難空間内と火災発生室内を同時に減圧して圧力の均衡化を図る。よって、火災発生室に設けた避難扉が外開きであっても開放しやすくなる。
【００１２】
請求項２記載の本発明によれば、例えば映画館において、火災発生室が気密性遮音性の高い防音室である観客席を想定した場合、火災発生室に近接する小部屋は映写室、音響室などであり、このような室は平常時は騒音の発生が少なく、かつ遮音対策がとりやすいことから、圧力分散を行う空間として好適である。
【発明の効果】
【００１３】
以上述べたように本発明の排煙設備および排煙方法は、外開き避難扉の場合であっても、火災発生室内の空気を機械排煙設備で強制的に排気するときに火災発生室内と室外との圧力均衡を図り、火災発生室内を減圧し避難扉を開きやすくして避難の安全性を確保でき、特に防音室、遮音室のような気密性の高い空間に実施する場合に、気密性を確保しつつ効果的なものである。
【発明を実施するための最良の形態】
【００１４】
以下、図面について本発明の実施形態を詳細に説明する。図１は本発明の排煙設備および排煙方法の実施形態を示す説明図で、図２に示した従来例と同一の構成要素には同一の参照符号を付してある。
【００１５】
図中１は例えば映画館などの観客席である防音室、遮音室などで火災発生室を示し、この火災発生室１に近接する小部屋を通気ダクト６で連通し、この小部屋を圧力調整用の空間５とする。図中７はこの空間５に設けてある内開きの扉を示す。
【００１６】
前記小部屋は映写室、音響室などの裏方部屋として使用されるもので、内開きの扉７が取り付けられ、平常時は騒音発生が少なく、遮音対策が講じやすい空間である。
【００１７】
火災発生室１となることが想定される観客席には機械排煙設備２を設置し、排煙口２ａを火災発生室１に開口する。
【００１８】
また、火災発生室１に隣接する避難廊下などの避難空間３にも前記機械排煙設備２に接続する別の排煙口２ｂを開口し、排煙口２ａ、２ｂが機械排煙設備２の起動により同時に開放されるように構成する。
【００１９】
かかる排煙設備を使用して火災発生室１に想定される観客席の火災発生時の排煙方法を説明する。映画館の観客席などに火災が発生し、ここが火災発生室１になると、機械排煙設備２が起動して火災発生室１内の空気が排煙口２ａから室外に排出される。
【００２０】
このとき、火災発生室１内は排煙によって例えば約１６００ｐａの負圧が火災発生室１の壁面にかかっている状態となり、この負圧では避難扉４は外開きであるから人力で開くことは困難である。人力で避難扉４を開ける限界の負圧は約１００ｐａとされている。
【００２１】
しかしながら本発明は、隣接の小部屋を圧力調整用の空間５として通気ダクトで連通してあるから、前記空間５内の空気を火災発生室１に引き込むことができ、これにより火災発生室１内の負圧が隣接の空間５に分散される。
【００２２】
その結果、火災発生室１の壁面にかかる負圧は約６００ｐａに減圧される。
【００２３】
さらに本発明では、火災発生室１内の排煙口２ａだけでなく、避難空間３の排煙口２ｂも同時に開放し、機械排煙設備２の排煙ダクト内の圧力を分散することで、火災発生室１内の壁にかかる圧力を低減する。
【００２４】
これにより、火災発生室１内の負圧は約６０ｐａに低減される。この値は避難扉４を人力で開けられる値である。このようにして火災発生室１と空間５と避難空間３との３つの空間で圧力の均衡化が図られる。よって、火災発生室１内の観客は安全に室外の避難空間３に脱出できる。
【００２５】
この場合、火災発生室１内の圧力を減圧するため、直接外部から空気を取り入れることはないから、危険性はなく、また、通気ダクトで連通する圧力調整用の空間５を、隣接の映写室や音響室とすることで、圧力調整用の空間５を別途格別に設置する必要がないだけでなく、このような空間を隣接して形成しても騒音発生源となることもなく、また、遮音対策も講じやすく合理的である。
【００２６】
なお、圧力調整用の空間５を形成する場合の空間的合理性を問わないのであれば、火災発生が想定される火災発生室１とは離間した場所、例えば遠隔地であっても通気ダクトで連通することができれば、ここに圧力調整用とする空間を別途設置することも可能である。
【００２７】
また、圧力調整用の空間５は、火災発生室１と連動することによって、他の空間に比較して負圧となるが、空間５のここに設けてある扉７は内開きであるから、空間５からの避難者はこの扉７を容易に開けられる。なお、この扉７を火災連動の開放式とすれば、火災発生と連動した圧力調整と空間５からの避難の安全性を同時に確保できる。
【００２８】
本発明は、前記のような映画館などの観客席に実施できるだけでなく、排煙装置の試験時において、火災発生想定室に適用でき、かかる場合は、試験時に火災発生想定室の壁が負圧により破壊されることを回避できる。
【図面の簡単な説明】
【００２９】
【図１】本発明の排煙設備および排煙方法の実施形態を示す説明図である。
【図２】従来の排煙設備および排煙方法の説明図である。
【符号の説明】
【００３０】
１  火災発生室                  ２  機械排煙設備
２ａ、２ｂ  排煙口              ３  避難空間
４  避難扉                      ５  空間
６  通気ダクト                  ７  扉
【図１】
2010002108.tif 000003
【図２】
2010002108.tif 000004